(57)【要約】  【課題】  残用紙長を有した状態で交換されて保管されている残ロール紙を含めたロール紙を効率よく利用することのできる画像形成装置、用紙管理プログラムを提供する。  【解決手段】  画像形成処理が終了した際に、該画像形成処理に利用したロール紙の識別名と残用紙長とを記憶する用紙情報記憶部６５、印刷ジョブを解析し、この印刷ジョブに基づいて画像を形成するページの用紙長とページ数とを特定するジョブ解析部６２、ジョブ解析部６２が特定した用紙長とページ数とに基づいて印刷ジョブに応じた画像形成処理に必要となる用紙長を算出する用紙長算出部６３、用紙長算出部６３が算出した用紙長と用紙情報記憶部６５に記憶されている残用紙長とに基づいて、印刷ジョブに応じた画像形成処理に利用するロール紙を選択する用紙選択部６７とを具備する。【選択図】        図４
2010247518.tif 000002
【特許請求の範囲】
【請求項１】
画像形成処理が終了した際に、該画像形成処理に利用したロール紙の識別名と残用紙長とを記憶する記憶手段と、
画像形成指示を解析し、該画像形成指示に基づいて画像を形成するページの用紙長とページ数とを特定する特定手段と、
前記特定手段が特定した用紙長とページ数とに基づいて前記画像形成指示に応じた画像形成処理に必要となる用紙長を算出する算出手段と、
前記算出手段が算出した用紙長と前記記憶手段に記憶されている残用紙長とに基づいて、前記画像形成指示に応じた画像形成処理に利用するロール紙を選択する選択手段と
を具備することを特徴とする画像形成装置。
【請求項２】
前記選択手段は、利用可能な状態にあるロール紙の残用紙長が予め定めた設定長以下である場合には、該ロール紙を選択することを特徴とする請求項１に記載の画像形成装置。
【請求項３】
前記特定手段は、複数の画像形成指示に対して、各画像形成指示に基づいて画像を形成するページの用紙長とページ数とを特定し、
前記算出手段は、前記特定手段が特定した複数の用紙長およびページ数のそれぞれに基づいて前記画像形成指示に応じた画像形成処理に必要となる用紙長を算出し、
前記選択手段は、前記算出手段が算出した用紙長に、利用可能な状態にあるロール紙の残用紙長以下のものがある場合に、該ロール紙を選択する
ことを特徴とする請求項１に記載の画像形成装置。
【請求項４】
画像形成装置による画像形成処理が終了した際に、該画像形成処理に利用したロール紙の識別名と残用紙長とを記憶手段に記憶する記憶処理と、
前記画像形成装置に対する画像形成指示を解析し、該画像形成指示に基づいて画像を形成するページの用紙長とページ数とを特定する特定処理と、
前記特定処理で特定した用紙長とページ数とに基づいて前記画像形成指示に応じた画像形成処理に必要となる用紙長を算出する算出処理と、
前記算出処理で算出した用紙長と前記記憶手段に記憶されている残用紙長とに基づいて、前記画像形成指示に応じた画像形成処理に利用するロール紙を選択する選択処理と
をコンピュータに実行させることを特徴とする用紙管理プログラム。
【請求項５】
前記選択処理は、利用可能な状態にあるロール紙の残用紙長が予め定めた設定長以下である場合には、該ロール紙を選択することを特徴とする請求項４に記載の用紙管理プログラム。
【請求項６】
前記特定処理は、複数の画像形成指示に対して、各画像形成指示に基づいて画像を形成するページの用紙長とページ数とを特定し、
前記算出処理は、前記特定処理で特定した複数の用紙長およびページ数のそれぞれに基づいて前記画像形成指示に応じた画像形成処理に必要となる用紙長を算出し、
前記選択処理は、前記算出処理で算出した用紙長に、利用可能な状態にあるロール紙の残用紙長以下のものがある場合に、該ロール紙を選択する
ことを特徴とする請求項４に記載の用紙管理プログラム。
【発明の詳細な説明】
【技術分野】
【０００１】
本発明は、画像形成装置、用紙管理プログラムに関する。
【背景技術】
【０００２】
画像形成装置には、ロール紙を用紙とするものがあり、ロール紙に関する技術としてその残用紙長を算出したり（例えば、特許文献１参照）、残用紙長と画像形成に必要な用紙長との関係から、画像形成の可否を判断するものがある（例えば、特許文献２〜５参照）。
【先行技術文献】
【特許文献】
【０００３】
【特許文献１】特開平０５−２２１１０２号公報
【特許文献２】実開平０５−５８３８７号公報
【特許文献３】特開２００５−１６９９１８号公報
【特許文献４】特開２００６−１２７５０号公報
【特許文献５】特開２００６−３２７０６６号公報
【発明の概要】
【発明が解決しようとする課題】
【０００４】
本発明は、残用紙長を有した状態で交換されて保管されている残ロール紙を含めたロール紙を効率よく利用することのできる画像形成装置、用紙管理プログラムを提供することを目的とする。
【課題を解決するための手段】
【０００５】
上述した目的を達成するため、請求項１の発明は、画像形成処理が終了した際に、該画像形成処理に利用したロール紙の識別名と残用紙長とを記憶する記憶手段と、画像形成指示を解析し、該画像形成指示に基づいて画像を形成するページの用紙長とページ数とを特定する特定手段と、前記特定手段が特定した用紙長とページ数とに基づいて前記画像形成指示に応じた画像形成処理に必要となる用紙長を算出する算出手段と、前記算出手段が算出した用紙長と前記記憶手段に記憶されている残用紙長とに基づいて、前記画像形成指示に応じた画像形成処理に利用するロール紙を選択する選択手段とを具備することを特徴とする。
【０００６】
また、請求項２の発明は、請求項１の発明において、前記選択手段は、利用可能な状態にあるロール紙の残用紙長が予め定めた設定長以下である場合には、該ロール紙を選択することを特徴とする。
【０００７】
また、請求項３の発明は、請求項１の発明において、前記特定手段は、複数の画像形成指示に対して、各画像形成指示に基づいて画像を形成するページの用紙長とページ数とを特定し、前記算出手段は、前記特定手段が特定した複数の用紙長およびページ数のそれぞれに基づいて前記画像形成指示に応じた画像形成処理に必要となる用紙長を算出し、前記選択手段は、前記算出手段が算出した用紙長に、利用可能な状態にあるロール紙の残用紙長以下のものがある場合に、該ロール紙を選択することを特徴とする。
【０００８】
また、請求項４の発明は、画像形成装置による画像形成処理が終了した際に、該画像形成処理に利用したロール紙の識別名と残用紙長とを記憶手段に記憶する記憶処理と、前記画像形成装置に対する画像形成指示を解析し、該画像形成指示に基づいて画像を形成するページの用紙長とページ数とを特定する特定処理と、前記特定処理で特定した用紙長とページ数とに基づいて前記画像形成指示に応じた画像形成処理に必要となる用紙長を算出する算出処理と、前記算出処理で算出した用紙長と前記記憶手段に記憶されている残用紙長とに基づいて、前記画像形成指示に応じた画像形成処理に利用するロール紙を選択する選択処理とをコンピュータに実行させることを特徴とする。
【０００９】
また、請求項５の発明は、請求項４の発明において、前記選択処理は、利用可能な状態にあるロール紙の残用紙長が予め定めた設定長以下である場合には、該ロール紙を選択することを特徴とする。
【００１０】
また、請求項６の発明は、請求項４の発明において、前記特定処理は、複数の画像形成指示に対して、各画像形成指示に基づいて画像を形成するページの用紙長とページ数とを特定し、前記算出処理は、前記特定処理で特定した複数の用紙長およびページ数のそれぞれに基づいて前記画像形成指示に応じた画像形成処理に必要となる用紙長を算出し、前記選択処理は、前記算出処理で算出した用紙長に、利用可能な状態にあるロール紙の残用紙長以下のものがある場合に、該ロール紙を選択することを特徴とする。
【発明の効果】
【００１１】
請求項１の発明によれば、残用紙長を有するロール紙から、画像形成指示に応じた適切なロール紙を選択することが可能となる。
【００１２】
請求項２の発明によれば、残用紙長が一定以下となるロール紙が利用されないまま放置されることを防止することが可能となる。
【００１３】
請求項３の発明によれば、用紙を交換せずに可能な画像形成指示を優先して実行することが可能となる。
【００１４】
請求項４の発明によれば、残用紙長を有するロール紙から、画像形成指示に応じた適切なロール紙を選択することが可能となる。
【００１５】
請求項５の発明によれば、残用紙長が一定以下となるロール紙が利用されないまま放置されることを防止することが可能となる。
【００１６】
請求項６の発明によれば、用紙を交換せずに可能な画像形成指示を優先して実行することが可能となる。
【図面の簡単な説明】
【００１７】
【図１】画像形成装置の利用形態例を説明するための図である。
【図２】画像形成装置１の構成例の概略を示した図である。
【図３】制御部１１の構成例を示した図である。
【図４】制御部１１の機能的な構成例を示した図である。
【図５】制御部１１の動作の流れを示すフローチャートである。
【図６】制御部１１の動作の流れを示すフローチャートである。
【図７】制御部１１の動作の流れを示すフローチャートである。
【図８】表示・操作部１２の表示例を示した図である。
【図９】制御部１１の動作の流れを示すフローチャートである。
【図１０】制御部１１の動作の流れを示すフローチャートである。
【図１１】表示・操作部１２の表示例を示した図である。
【図１２】制御部１１の動作の流れを示すフローチャートである。
【図１３】制御部１１の動作の流れを示すフローチャートである。
【図１４】表示・操作部１２の表示例を示した図である。
【図１５】制御部１１の動作の流れを示すフローチャートである。
【図１６】制御部１１の動作の流れを示すフローチャートである。
【図１７】制御部１１の動作の流れを示すフローチャートである。
【図１８】表示・操作部１２の表示例を示した図である。
【発明を実施するための形態】
【００１８】
以下、本発明に係る画像形成装置、用紙管理プログラムの一実施の形態について、添付図面を参照して詳細に説明する。
【実施例１】
【００１９】
図１は、画像形成装置の利用形態例を説明するための図である。同図に示すように画像形成装置１は、巻出装置２及び巻取装置３とともに動作し、巻出装置２にセットされたロール紙４に対して印刷を行い、その結果を巻取装置３に収容する。
【００２０】
次に、画像形成装置１の構成について説明する。図２は、画像形成装置１の構成例の概略を示した図である。
【００２１】
同図に示すように、画像形成装置１は、制御部１１と、表示・操作部１２、通信部１３、用紙搬送部１４、画像形成部１５、外部装置接続部１６を有している。
【００２２】
制御部１１は、他の各部を制御して連動させるものであり、例えば、図３に示すような構成を有するものである。図３に示した構成例では、制御部１１は、演算部５１と、記憶部５２、一時記憶部５３、入出力部５４（５４−１〜５４−６）を有する。演算部５１は、演算処理を行うもので、例えば、ＣＰＵ（Central Processing Unit）等のプロセッサにより実現されるものである。記憶部５２は、演算部５１を動作させるためのプログラムや情報等を記憶するもので、例えば、ＲＯＭ（Read Only Memory）、不揮発性メモリ(Nonvolatile Memory)等のメモリで実現されるものである。一時記憶部５３は、情報等を一時的に記憶するもので、例えば、ＲＡＭ（Random Access Memory）等のメモリで実現されるものである。入出力部５４は、それぞれ、記憶装置１７、表示・操作部１２、通信部１３、用紙搬送部１４、画像形成部１５、外部装置接続部１６と接続するためのインタフェイスである。なお、記憶装置１７は、図２に示した構成例では、制御部１１に含まれるものであり、印刷データ等を記憶するものである。
【００２３】
表示・操作部１２は、表示装置と入力装置により構成され、利用者（操作者）に対する情報の表示や、利用者からの操作指示の入力を受け付ける。
【００２４】
通信部１３は、コンピュータ等との通信を行うもので、通信可能なコンピュータ等から印刷指示と印刷データを含む印刷ジョブを受信する。
【００２５】
用紙搬送部１４は、巻出装置２から巻き出された用紙（ロール紙）を搬送するもので、印刷時に画像形成部１５の動作と連動するように用紙を搬送する。
【００２６】
画像形成部１５は、通信部１３が受信した印刷ジョブに基づいて、用紙搬送部１４が搬送する用紙上に画像を形成し、印刷を行う。
【００２７】
外部接続装置１６は、巻出装置２と巻取装置３と通信が可能となるように接続を行うインタフェイスである。外部接続装置１６に接続された巻出装置２と巻取装置３には、印刷時に用紙搬送部１４と連動するよう制御部１１から制御信号が送出される。
【００２８】
次に、制御部１１の機能的な構成について説明する。図４は、制御部１１の機能的な構成例を示した図である。なお、図４に示す各機能部は、記憶部５２に記憶されたプログラムにしたがって演算部５１が動作することにより実現されるものである。また、同図においては、用紙の管理に関係しない機能部については省略している。
【００２９】
同図に示すように、制御部１１は、ジョブ受付部６１と、ジョブ解析部６２、用紙長算出部６３、用紙残量検出部６４、用紙情報記憶部６５、用紙適否判定部６６、用紙選択部６７を有している。
【００３０】
ジョブ受付部６１は、通信部１３が受信した印刷ジョブを受け付ける。ジョブ受付部６１が受け付けた印刷ジョブは、記憶装置１７に記憶される。
【００３１】
ジョブ解析部６２は、ジョブ受付部６１が受け付けたジョブを解析し、印刷時の各ページの用紙長とページ数を特定する。
【００３２】
用紙長算出部６３は、ジョブ解析部６２が特定した用紙長とページ数に基づいて、当該印刷ジョブに基づく印刷時に必要となる用紙の用紙長を算出する。
【００３３】
用紙残量検出部６４は、印刷ジョブに基づく印刷が終了した際に、用紙搬送部１４や画像形成部１５等からの信号に基づいて印刷に利用したロール紙の残用紙長（用紙残量）を検出する。
【００３４】
用紙情報記憶部６５は、用紙残量検出部６４が検出した用紙の残用紙長を該当するロール紙の識別名ととも用紙情報として、記憶部５２または記憶装置１７に記憶する。
【００３５】
用紙適否判定部６６は、用紙長算出部６３が算出した印刷時に必要となる用紙の用紙長（以下、必要用紙長と称する）と用紙情報記憶部６５に記憶されている用紙情報とに基づいて、現に巻出装置２にセットされているロール紙が印刷ジョブの実行に適切な用紙であるか否かを判定する。判定の結果、現に巻出装置２にセットされているロール紙が適切な用紙であった場合には、表示・操作部１２に用紙が適切である旨の表示等を行う。
【００３６】
用紙選択部６７は、用紙適否判定部６６により、現に巻出装置２にセットされているロール紙が印刷ジョブの実行に不適切な用紙であると判定された場合に、用紙長算出部６３が算出した必要用紙長と用紙情報記憶部６５に記憶されている用紙情報とに基づいて、適切な用紙を選択し、表示・操作部１２に選択した用紙の識別名等を表示する。
【００３７】
次に、制御部１１の動作について説明する。図５乃至７は、制御部１１の動作の流れを示すフローチャートである。
【００３８】
制御部１１は、通信部１３が印刷ジョブを受信すると（ステップ１０１でＹＥＳ）、ジョブ受付部６１が受信した印刷ジョブを受け付け、記憶装置１７に記憶する（ステップ１０２）。なお、印刷ジョブの受け付けは、他の処理と並列に行われる。
【００３９】
一方、制御部１１は、印刷ジョブを受け付けた後に、受け付けた印刷ジョブを実行するが、まず、ジョブ解析部６２が、印刷ジョブの解析を行い、当該印刷ジョブを実行する際の各ページの用紙長とページ数を特定する（ステップ１１１）。そして、特定された各ページの用紙長とページ数に基づいて、用紙長算出部６３が必要用紙長を算出する（ステップ１１２）。このとき、用紙長算出部６３は、印刷時や用紙の切断時に必要となる用紙のマージンも必要用紙長に含めるように必要用紙長の算出を行う。
【００４０】
次に、用紙適否判定部６６が、用紙長算出部６３が算出した必要用紙長と用紙情報記憶部６５に記憶されている用紙情報とに基づいて、現に巻出装置２にセットされているロール紙が印刷ジョブの実行に適切な用紙であるか否かを判定し、巻出装置２にセットされているロール紙の残用紙長が充足していれば（ステップ１１３でＹＥＳ）、用紙適否判定部６６は、巻出装置２にセットされているロール紙により印刷ジョブの実行が可能であることを、表示・操作部１２に表示する（ステップ１１４）。この表示は、例えば、図８（ａ）に示すようなものとなる。
【００４１】
この印刷ジョブの実行が可能である旨の表示に対して、利用者が表示・操作部１２から印刷ジョブの実行を指示すると（ステップ１１５でＹＥＳ）、制御部１１は、用紙搬送部１４と画像形成部１５を制御するとともに、外部装置接続部１６を介して巻出装置２と巻取装置３を制御して印刷処理を行う（ステップ１１６）。そして、印刷処理が終了すると、用紙残量検出部６４が用紙搬送部１４や画像形成部１５等からの信号に基づいて印刷に利用したロール紙の残用紙長を検出し（ステップ１１７）、検出した用紙残長に基づいて、用紙情報記憶部６５が、巻出装置２にセットされているロール紙の用紙識別名に対応する用紙残長を更新する（ステップ１１８）。
【００４２】
制御部１１は、次のジョブが受け付けられている場合、例えば、ステップ１１１以降の処理を行っている間に、ジョブ受付部６１がジョブを受け付けていた場合には（ステップ１１９でＹＥＳ）、ステップ１１１に戻り、次のジョブに対して同様の処理を行う。次のジョブが受け付けられていない場合には、処理を終了する。
【００４３】
一方、用紙適否判定部６６による判定の結果、巻出装置２にセットされているロール紙の残用紙長が不足していた場合や（ステップ１１３でＮＯ）、用紙残長が充足していても、利用者が巻出装置２にセットされているロール紙での印刷を指示しなかった場合には（ステップ１１５でＮＯ）、用紙選択部６７が用紙選択処理を行う（ステップ１２０）。
【００４４】
用紙選択処理では、まず、用紙選択部６７は、用紙情報記憶部６５に記憶されている全ての用紙識別名と、用紙識別名に対応する残用紙長を取得する（ステップ１２１）。続いて、用紙選択部６７は、取得した残用紙長の短い順に対応する用紙識別名をソートし（ステップ１２２）、最初の用紙識別名、つまり、残用紙長が最も短い用紙識別名を最初の比較対象に設定する（ステップ１２３）。
【００４５】
次に、用紙選択部６７は、比較対象に設定した用紙識別名の残用紙長と必要用紙長を比較し、残用紙長が必要用紙長以上であれば（ステップ１２４でＹＥＳ）、比較対象に設定した用紙識別名を交換対象に決定する（ステップ１２５）。
【００４６】
一方、比較の結果、残用紙長が必要用紙長未満の場合には（ステップ１２４でＮＯ）、比較を行っていない用紙識別名があれば（ステップ１２６でＹＥＳ）、ソートした次の用紙識別名を比較対象に設定し（ステップ１２７）、同様に残用紙長と必要用紙長の比較を行う。
【００４７】
また、用紙情報記憶部６５に記憶されている全ての用紙識別名について残用紙長と必要用紙長の比較を行った結果、いずれの残用紙長も必要用紙長未満であった場合には（ステップ１２６でＮＯ）、新規用紙を交換対象に決定する（ステップ１２８）。
【００４８】
用紙選択処理により、交換対象となる用紙が決定されると、用紙選択部６７は、表示・操作部１２に、交換対象に決定した用紙の用紙識別名または新規用紙への交換の必要がある旨の表示を行わせる（ステップ１２９）。交換対象に決定した用紙の用紙識別名の表示は、例えば、図８（ｂ）に示したものであり、このとき、表示・操作部１２には、印刷ジョブの実行状態として、例えば、図８（ｃ）に示す画面も表示され、用紙交換後には、印刷ジョブの実行状態として、例えば、図８（ｄ）に示す画面が表示される。
【００４９】
この表示に応じて、利用者により用紙の交換が行われると（ステップ１３０）、当該交換が新規用紙への交換であった場合には（ステップ１３１でＹＥＳ）、用紙情報記憶部６５は、新規用紙に対して用紙識別名を設定し（ステップ１３２）、残用紙長を初期値に設定し（ステップ１３３）、設定した用紙識別名と残用紙長を記憶する（ステップ１３４）。なお、用紙識別名は、自動生成してもよく、表示・操作部１２を介して利用者に入力させるようにしてもよい。
【００５０】
続いて、制御部１１は、用紙搬送部１４と画像形成部１５を制御するとともに、外部装置接続部１６を介して巻出装置２と巻取装置３を制御して印刷処理を行う（ステップ１１６）。そして、印刷処理が終了すると、用紙残量検出部６４が用紙搬送部１４や画像形成部１５等からの信号に基づいて印刷に利用したロール紙の残用紙長を検出し（ステップ１１７）、検出した用紙残長に基づいて、用紙情報記憶部６５が、巻出装置２にセットされているロール紙の用紙識別名に対応する用紙残長を更新する（ステップ１１８）。
【００５１】
制御部１１は、次のジョブが受け付けられている場合、例えば、ステップ１１１以降の処理を行っている間に、ジョブ受付部６１がジョブを受け付けていた場合には（ステップ１１９でＹＥＳ）、ステップ１１１に戻り、次のジョブに対して同様の処理を行う。次のジョブが受け付けられていない場合には、処理を終了する。
【実施例２】
【００５２】
実施例１では、１つの印刷ジョブを実行する毎に用紙の選択を行う例を説明したが、実施例２では、複数の印刷ジョブの実行に際して用紙の選択を行う例を説明する。なお、実施例２で説明する例では、制御部１１の動作が異なるのみで、制御部１１等の構成については、実施例１の場合と同様であるため、構成についての説明は省略し、動作についてのみ説明する。
【００５３】
図９及び図１０は、制御部１１の動作の流れを示すフローチャートである。なお、印刷ジョブの受信と受け付けについては、実施例１の場合と同様の処理であるため、図５を参照する。
【００５４】
制御部１１は、通信部１３が印刷ジョブを受信すると（ステップ１０１でＹＥＳ）、ジョブ受付部６１が受信した印刷ジョブを受け付け、記憶装置１７に記憶する（ステップ１０２）。なお、印刷ジョブの受け付けは、他の処理と並列に行われる。
【００５５】
一方、制御部１１は、印刷ジョブを受け付けた後に、利用者により表示・操作部１２から印刷ジョブの実行指示が入力されると、表示・操作部１２に印刷ジョブの一覧を表示する（ステップ２０１）。印刷ジョブの一覧表示は、例えは、図１１（ａ）に示すようなものとなる。
【００５６】
表示した印刷ジョブの一覧から、例えば、図１１（ｂ）に示す表示例のように、利用者が実行を所望する印刷ジョブを選択すると（ステップ２０２でＹＥＳ）、ジョブ解析部６２が、選択された印刷ジョブの解析を行い、当該印刷ジョブを実行する際の各ページの用紙長とページ数を特定する（ステップ２０３）。そして、特定された各ページの用紙長とページ数に基づいて、用紙長算出部６３が必要用紙長を算出する（ステップ２０４）。このとき、用紙長算出部６３は、印刷時や用紙の切断時に必要となる用紙のマージンも必要用紙長に含めるように必要用紙長の算出を行う。
【００５７】
次に、用紙適否判定部６６が、用紙長算出部６３が算出した必要用紙長と用紙情報記憶部６５に記憶されている用紙情報とに基づいて、現に巻出装置２にセットされているロール紙が印刷ジョブの実行に適切な用紙であるか否かを判定し、巻出装置２にセットされているロール紙の残用紙長が充足していれば（ステップ２０５でＹＥＳ）、用紙適否判定部６６は、巻出装置２にセットされているロール紙により印刷ジョブの実行が可能であることを、表示・操作部１２に表示する（ステップ２０６）。
【００５８】
この印刷ジョブの実行が可能である旨の表示に対して、利用者が表示・操作部１２から印刷ジョブの実行を指示すると（ステップ２０７でＹＥＳ）、制御部１１は、用紙搬送部１４と画像形成部１５を制御するとともに、外部装置接続部１６を介して巻出装置２と巻取装置３を制御して印刷処理を行う（ステップ２０８）。そして、印刷処理が終了すると、用紙残量検出部６４が用紙搬送部１４や画像形成部１５等からの信号に基づいて印刷に利用したロール紙の残用紙長を検出し（ステップ２０９）、検出した用紙残長に基づいて、用紙情報記憶部６５が、巻出装置２にセットされているロール紙の用紙識別名に対応する用紙残長を更新し（ステップ２１０）、処理を終了する。
【００５９】
一方、用紙適否判定部６６による判定の結果、巻出装置２にセットされているロール紙の残用紙長が不足していた場合や（ステップ２０５でＮＯ）、用紙残長が充足していても、利用者が巻出装置２にセットされているロール紙での印刷を指示しなかった場合には（ステップ２０７でＮＯ）、用紙選択部６７が用紙選択処理を行う（ステップ２１１）。
【００６０】
用紙選択処理では、まず、用紙選択部６７は、用紙情報記憶部６５に記憶されている全ての用紙識別名と、用紙識別名に対応する残用紙長を取得する（ステップ２１２）。続いて、用紙選択部６７は、取得した残用紙長の短い順に対応する用紙識別名をソートし（ステップ２１３）、最初の用紙識別名、つまり、残用紙長が最も短い用紙識別名を最初の比較対象に設定する（ステップ２１４）。
【００６１】
次に、用紙選択部６７は、比較対象に設定した用紙識別名の残用紙長と必要用紙長を比較し、残用紙長が必要用紙長以上であれば（ステップ２１５でＹＥＳ）、比較対象に設定した用紙識別名を交換対象に決定する（ステップ２１６）。
【００６２】
一方、比較の結果、残用紙長が必要用紙長未満の場合には（ステップ２１５でＮＯ）、比較を行っていない用紙識別名があれば（ステップ２１７でＹＥＳ）、ソートした次の用紙識別名を比較対象に設定し（ステップ２１８）、同様に残用紙長と必要用紙長の比較を行う。
【００６３】
また、用紙情報記憶部６５に記憶されている全ての用紙識別名について残用紙長と必要用紙長の比較を行った結果、いずれの残用紙長も必要用紙長未満であった場合には（ステップ２１７でＮＯ）、実行が指示されている印刷ジョブとして複数の印刷ジョブが選択されていれば（ステップ２１９でＹＥＳ）、用紙選択部６７は、表示・操作部１２に、実行を所望する印刷ジョブの再選択と用紙交換とのいずれかを行うかの指示を利用者に求める表示を行う（ステップ２２０）。その結果、利用者が印刷ジョブの再選択を指示すれば（ステップ２２１でＮＯ）、ステップ２０１に戻り、印刷ジョブの一覧表示を行って、利用者にジョブの再選択を行わせる。ジョブの再選択を行わせる際の印刷ジョブの一覧表示では、例えば、図１１（ｃ）に示すように、既に算出した印刷ジョブにおけるページ数や使用用紙長を表示するようにしてもよい。
【００６４】
利用者が、用紙の交換を指示した場合（ステップ２２１でＮＯ）、または、実行が指示されている印刷ジョブとして単一の印刷ジョブが選択されていた場合には（ステップ２１９でＮＯ）、新規用紙を交換対象に決定する（ステップ２２２）。
【００６５】
用紙選択処理により、交換対象となる用紙が決定されると、用紙選択部６７は、表示・操作部１２に、交換対象に決定した用紙の用紙識別名または新規用紙への交換の必要がある旨の表示を行わせる（ステップ２２３）。
【００６６】
この表示に応じて、利用者により用紙の交換が行われると（ステップ２２４）、当該交換が新規用紙への交換であった場合には（ステップ２２５でＹＥＳ）、用紙情報記憶部６５は、新規用紙に対して用紙識別名を設定し（ステップ２２６）、残用紙長を初期値に設定し（ステップ２２７）、設定した用紙識別名と残用紙長を記憶する（ステップ２２８）。なお、用紙識別名は、自動生成してもよく、表示・操作部１２を介して利用者に入力させるようにしてもよい。
【００６７】
続いて、制御部１１は、用紙搬送部１４と画像形成部１５を制御するとともに、外部装置接続部１６を介して巻出装置２と巻取装置３を制御して印刷処理を行う（ステップ２０８）。そして、印刷処理が終了すると、用紙残量検出部６４が用紙搬送部１４や画像形成部１５等からの信号に基づいて印刷に利用したロール紙の残用紙長を検出し（ステップ２０９）、検出した用紙残長に基づいて、用紙情報記憶部６５が、巻出装置２にセットされているロール紙の用紙識別名に対応する用紙残長を更新し（ステップ２１０）、処理を終了する。
【実施例３】
【００６８】
実施例２では、利用者によるジョブの選択時には、各印刷ジョブにおける印刷処理時のページ数等が算出されていない例を説明したが、実施例３では、利用者によるジョブの選択前に各印刷ジョブにおける印刷処理時のページ数等の算出を行う例を説明する。なお、実施例３で説明する例では、制御部１１の動作が異なるのみで、制御部１１等の構成については、実施例１及び実施例２の場合と同様であるため、構成についての説明は省略し、動作についてのみ説明する。
【００６９】
図１２及び図１３は、制御部１１の動作の流れを示すフローチャートである。なお、一部の処理（用紙選択処理）については、実施例２の場合と同様の処理であるため、図１０を参照する。
【００７０】
制御部１１は、通信部１３が印刷ジョブを受信すると（ステップ３０１でＹＥＳ）、ジョブ受付部６１が受信した印刷ジョブを受け付け、記憶装置１７に記憶する（ステップ３０２）。そして、ジョブ解析部６２が、印刷ジョブの解析を行い、当該印刷ジョブを実行する際の各ページの用紙長とページ数を特定する（ステップ３０３）。そして、特定された各ページの用紙長とページ数に基づいて、用紙長算出部６３が必要用紙長を算出する（ステップ３０４）。このとき、用紙長算出部６３は、印刷時や用紙の切断時に必要となる用紙のマージンも必要用紙長に含めるように必要用紙長の算出を行う。これらの印刷ジョブ等の受け付けは、他の処理と並列に行われる。
【００７１】
一方、制御部１１は、印刷ジョブを受け付けた後に、利用者により表示・操作部１２から印刷ジョブの実行指示が入力されると、表示・操作部１２に印刷ジョブの一覧を表示する（ステップ３１１）。印刷ジョブの一覧表示は、例えは、図１４に示すようなものとなる。
【００７２】
表示した印刷ジョブの一覧から、利用者が実行を所望する印刷ジョブを選択すると（ステップ３１２でＹＥＳ）、用紙長算出部６３が必要用紙長を算出する（ステップ３１３）。このとき、用紙長算出部６３は、印刷時や用紙の切断時に必要となる用紙のマージンも必要用紙長に含めるように必要用紙長の算出を行う。
【００７３】
次に、用紙適否判定部６６が、用紙長算出部６３が算出した必要用紙長と用紙情報記憶部６５に記憶されている用紙情報とに基づいて、現に巻出装置２にセットされているロール紙が印刷ジョブの実行に適切な用紙であるか否かを判定し、巻出装置２にセットされているロール紙の残用紙長が充足していれば（ステップ３１４でＹＥＳ）、用紙適否判定部６６は、巻出装置２にセットされているロール紙により印刷ジョブの実行が可能であることを、表示・操作部１２に表示する（ステップ３１５）。
【００７４】
この印刷ジョブの実行が可能である旨の表示に対して、利用者が表示・操作部１２から印刷ジョブの実行を指示すると（ステップ３１６でＹＥＳ）、制御部１１は、用紙搬送部１４と画像形成部１５を制御するとともに、外部装置接続部１６を介して巻出装置２と巻取装置３を制御して印刷処理を行う（ステップ３１７）。そして、印刷処理が終了すると、用紙残量検出部６４が用紙搬送部１４や画像形成部１５等からの信号に基づいて印刷に利用したロール紙の残用紙長を検出し（ステップ３１８）、検出した用紙残長に基づいて、用紙情報記憶部６５が、巻出装置２にセットされているロール紙の用紙識別名に対応する用紙残長を更新し（ステップ３１９）、処理を終了する。
【００７５】
一方、用紙適否判定部６６による判定の結果、巻出装置２にセットされているロール紙の残用紙長が不足していた場合や（ステップ３１４でＮＯ）、用紙残長が充足していても、利用者が巻出装置２にセットされているロール紙での印刷を指示しなかった場合には（ステップ３１６でＮＯ）、用紙選択部６７が用紙選択処理を行う（ステップ３２０）。
【００７６】
用紙選択処理では、まず、用紙選択部６７は、用紙情報記憶部６５に記憶されている全ての用紙識別名と、用紙識別名に対応する残用紙長を取得する（ステップ２１２）。続いて、用紙選択部６７は、取得した残用紙長の短い順に対応する用紙識別名をソートし（ステップ２１３）、最初の用紙識別名、つまり、残用紙長が最も短い用紙識別名を最初の比較対象に設定する（ステップ２１４）。
【００７７】
次に、用紙選択部６７は、比較対象に設定した用紙識別名の残用紙長と必要用紙長を比較し、残用紙長が必要用紙長以上であれば（ステップ２１５でＹＥＳ）、比較対象に設定した用紙識別名を交換対象に決定する（ステップ２１６）。
【００７８】
一方、比較の結果、残用紙長が必要用紙長未満の場合には（ステップ２１５でＮＯ）、比較を行っていない用紙識別名があれば（ステップ２１７でＹＥＳ）、ソートした次の用紙識別名を比較対象に設定し（ステップ２１８）、同様に残用紙長と必要用紙長の比較を行う。
【００７９】
また、用紙情報記憶部６５に記憶されている全ての用紙識別名について残用紙長と必要用紙長の比較を行った結果、いずれの残用紙長も必要用紙長未満であった場合には（ステップ２１７でＮＯ）、実行が指示されている印刷ジョブとして複数の印刷ジョブが選択されていれば（ステップ２１９でＹＥＳ）、用紙選択部６７は、表示・操作部１２に、実行を所望する印刷ジョブの再選択と用紙交換とのいずれかを行うかの指示を利用者に求める表示を行う（ステップ２２０）。その結果、利用者が印刷ジョブの再選択を指示すれば（ステップ２２１でＮＯ）、ステップ３１１に戻り、印刷ジョブの一覧表示を行って、利用者にジョブの再選択を行わせる。
【００８０】
利用者が、用紙の交換を指示した場合（ステップ２２１でＮＯ）、または、実行が指示されている印刷ジョブとして単一の印刷ジョブが選択されていた場合には（ステップ２１９でＮＯ）、新規用紙を交換対象に決定する（ステップ２２２）。
【００８１】
用紙選択処理により、交換対象となる用紙が決定されると、用紙選択部６７は、表示・操作部１２に、交換対象に決定した用紙の用紙識別名または新規用紙への交換の必要がある旨の表示を行わせる（ステップ３２１）。
【００８２】
この表示に応じて、利用者により用紙の交換が行われると（ステップ３２２）、当該交換が新規用紙への交換であった場合には（ステップ３２３でＹＥＳ）、用紙情報記憶部６５は、新規用紙に対して用紙識別名を設定し（ステップ３２４）、残用紙長を初期値に設定し（ステップ３２５）、設定した用紙識別名と残用紙長を記憶する（ステップ３２６）。なお、用紙識別名は、自動生成してもよく、表示・操作部１２を介して利用者に入力させるようにしてもよい。
【００８３】
続いて、制御部１１は、用紙搬送部１４と画像形成部１５を制御するとともに、外部装置接続部１６を介して巻出装置２と巻取装置３を制御して印刷処理を行う（ステップ３１７）。そして、印刷処理が終了すると、用紙残量検出部６４が用紙搬送部１４や画像形成部１５等からの信号に基づいて印刷に利用したロール紙の残用紙長を検出し（ステップ３１８）、検出した用紙残長に基づいて、用紙情報記憶部６５が、巻出装置２にセットされているロール紙の用紙識別名に対応する用紙残長を更新し（ステップ３１９）、処理を終了する。
【実施例４】
【００８４】
実施例１乃至３では、いずれも、現に巻出装置２にセットされているロール紙の残用紙長が不足、つまり、必要用紙長未満である場合に、用紙交換を行う例を説明したが、現に巻出装置２にセットされているロール紙の残用紙長が一般的な印刷ジョブにおける必要用紙長未満である場合には、当該ロール紙は、利用されないまま放置される可能性がある。このため、実施例４では、現に巻出装置２にセットされているロール紙の残用紙長が設定長（実際には、どのような印刷ジョブを実行するかの運用により異なる）以下となった場合に実施例１乃至３とは異なる処理を行う例を説明する。なお、実施例４では、実施例１乃至３のそれぞれと異なる部分のみを説明する。
【００８５】
図１５は、制御部１１の動作の流れを示すフローチャートである。なお、同図に示した処理は、図６（実施例１）、図９（実施例２）、図１３（実施例３）の一部の処理に相当する。
【００８６】
制御部１１は、用紙適否判定部６６が、用紙長算出部６３が算出した必要用紙長と用紙情報記憶部６５に記憶されている用紙情報とに基づいて、現に巻出装置２にセットされているロール紙が印刷ジョブの実行に適切な用紙であるか否かを判定し、巻出装置２にセットされているロール紙の残用紙長が充足していれば（ステップ４０１でＹＥＳ）、用紙適否判定部６６は、巻出装置２にセットされているロール紙により印刷ジョブの実行が可能であることを、表示・操作部１２に表示する（ステップ４０２）。このステップ４０１、ステップ４０２は、実施例１のステップ１１３、ステップ１１４の処理、実施例２のステップ２０５、ステップ２０６の処理、実施例１のステップ３１４、ステップ３１５の処理に相当する。
【００８７】
一方、用紙適否判定部６６は、巻出装置２にセットされているロール紙の残用紙長が不足していた場合には（ステップ４０２でＮＯ）、さらに残用紙長と設定長との比較を行い、残用紙長が設定長以下であれば（ステップ４０３でＹＥＳ）、残用紙長が設定値以下である旨の通知を表示・操作部１２に表示する（ステップ４０４）。
【００８８】
印刷ジョブの実行が可能である旨の表示または残用紙長が設定値以下である旨の表示に対して、利用者が表示・操作部１２から印刷ジョブの実行を指示すると（ステップ４０５でＹＥＳ）、制御部１１は、印刷処理を行う（実施例１のステップ１１６、実施例２のステップ２０８、実施例３のステップ３１７へ）。
【００８９】
また、用紙適否判定部６６による判定の結果、巻出装置２にセットされているロール紙の残用紙長が設定長以下でなかった場合や（ステップ４０３でＮＯ）、利用者が巻出装置２にセットされているロール紙での印刷を指示しなかった場合には（ステップ４０５でＮＯ）、用紙選択部６７が用紙選択処理を行う（実施例１のステップ１２０、実施例２のステップ２１１、実施例３のステップ３２０へ）。
【実施例５】
【００９０】
実施例５では、実施例１で説明した例に加え、複数の印刷ジョブを受け付けている場合に、現に巻出装置２にセットされているロール紙を優先して利用することができるようにした例を説明する。なお、実施例５で説明する例では、制御部１１の動作が異なるのみで、制御部１１等の構成については、実施例１の場合と同様であるため、構成についての説明は省略し、動作についてのみ説明する。なお、現に巻出装置２にセットされているロール紙を優先して利用するか、現行のジョブを優先して処理するかの設定は、予め利用者により表示・操作部１２を介して設定されているものとする。
【００９１】
図１６及び図１７は、制御部１１の動作の流れを示すフローチャートである。なお、印刷ジョブの受信と受け付けと、用紙選択処理については、実施例１の場合と同様の処理であるため、図５及び図７を参照する。
【００９２】
制御部１１は、通信部１３が印刷ジョブを受信すると（図５のステップ１０１でＹＥＳ）、ジョブ受付部６１が受信した印刷ジョブを受け付け、記憶装置１７に記憶する（ステップ１０２）。なお、印刷ジョブの受け付けは、他の処理と並列に行われる。
【００９３】
一方、制御部１１は、印刷ジョブを受け付けた後に、受け付けた印刷ジョブを実行するが、まず、ジョブ解析部６２が、印刷ジョブの解析を行い、当該印刷ジョブを実行する際の各ページの用紙長とページ数を特定する（図１６のステップ５０１）。そして、特定された各ページの用紙長とページ数に基づいて、用紙長算出部６３が必要用紙長を算出する（ステップ５０２）。このとき、用紙長算出部６３は、印刷時や用紙の切断時に必要となる用紙のマージンも必要用紙長に含めるように必要用紙長の算出を行う。
【００９４】
ここで、現行のジョブを優先して処理するように設定されている場合には（ステップ５０３でＹＥＳ）、用紙適否判定部６６が、用紙長算出部６３が算出した必要用紙長と用紙情報記憶部６５に記憶されている用紙情報とに基づいて、現に巻出装置２にセットされているロール紙が印刷ジョブの実行に適切な用紙であるか否かを判定し、巻出装置２にセットされているロール紙の残用紙長が充足していれば（ステップ５０４でＹＥＳ）、用紙適否判定部６６は、巻出装置２にセットされているロール紙により印刷ジョブの実行が可能であることを、表示・操作部１２に表示する（ステップ５０５）。この表示は、例えば、図８（ａ）に示すようなものとなる。
【００９５】
この印刷ジョブの実行が可能である旨の表示に対して、利用者が表示・操作部１２から印刷ジョブの実行を指示すると（ステップ５０６でＹＥＳ）、制御部１１は、用紙搬送部１４と画像形成部１５を制御するとともに、外部装置接続部１６を介して巻出装置２と巻取装置３を制御して印刷処理を行う（図１７のステップ５０７）。そして、印刷処理が終了すると、用紙残量検出部６４が用紙搬送部１４や画像形成部１５等からの信号に基づいて印刷に利用したロール紙の残用紙長を検出し（ステップ５０８）、検出した用紙残長に基づいて、用紙情報記憶部６５が、巻出装置２にセットされているロール紙の用紙識別名に対応する用紙残長を更新する（ステップ５０９）。
【００９６】
制御部１１は、次のジョブが受け付けられている場合には（ステップ５１０でＹＥＳ）、ステップ５０１に戻り、次のジョブに対して同様の処理を行う。次のジョブが受け付けられていない場合には、処理を終了する。
【００９７】
一方、用紙適否判定部６６による判定の結果、巻出装置２にセットされているロール紙の残用紙長が不足していた場合や（ステップ５０４でＮＯ）、用紙残長が充足していても、利用者が巻出装置２にセットされているロール紙での印刷を指示しなかった場合には（ステップ５０６でＮＯ）、用紙選択部６７が用紙選択処理を行う（ステップ５１１）。
【００９８】
用紙選択処理では、まず、用紙選択部６７は、用紙情報記憶部６５に記憶されている全ての用紙識別名と、用紙識別名に対応する残用紙長を取得する（図７のステップ１２１）。続いて、用紙選択部６７は、取得した残用紙長の短い順に対応する用紙識別名をソートし（ステップ１２２）、最初の用紙識別名、つまり、残用紙長が最も短い用紙識別名を最初の比較対象に設定する（ステップ１２３）。
【００９９】
次に、用紙選択部６７は、比較対象に設定した用紙識別名の残用紙長と必要用紙長を比較し、残用紙長が必要用紙長以上であれば（ステップ１２４でＹＥＳ）、比較対象に設定した用紙識別名を交換対象に決定する（ステップ１２５）。
【０１００】
一方、比較の結果、残用紙長が必要用紙長未満の場合には（ステップ１２４でＮＯ）、比較を行っていない用紙識別名があれば（ステップ１２６でＹＥＳ）、ソートした次の用紙識別名を比較対象に設定し（ステップ１２７）、同様に残用紙長と必要用紙長の比較を行う。
【０１０１】
また、用紙情報記憶部６５に記憶されている全ての用紙識別名について残用紙長と必要用紙長の比較を行った結果、いずれの残用紙長も必要用紙長未満であった場合には（ステップ１２６でＮＯ）、新規用紙を交換対象に決定する（ステップ１２８）。
【０１０２】
用紙選択処理により、交換対象となる用紙が決定されると、用紙選択部６７は、表示・操作部１２に、交換対象に決定した用紙の用紙識別名または新規用紙への交換の必要がある旨の表示を行わせる（図１６のステップ５１２）。交換対象に決定した用紙の用紙識別名の表示は、例えば、図８（ｂ）に示したものであり、このとき、表示・操作部１２には、印刷ジョブの実行状態として、例えば、図８（ｃ）に示す画面も表示され、用紙交換後には、印刷ジョブの実行状態として、例えば、図８（ｄ）に示す画面が表示される。
【０１０３】
この表示に応じて、利用者により用紙の交換が行われると（ステップ５１３）、当該交換が新規用紙への交換であった場合には（ステップ５１４でＹＥＳ）、用紙情報記憶部６５は、新規用紙に対して用紙識別名を設定し（図１７のステップ５１６）、残用紙長を初期値に設定し（ステップ５１７）、設定した用紙識別名と残用紙長を記憶する（ステップ５１８）。なお、用紙識別名は、自動生成してもよく、表示・操作部１２を介して利用者に入力させるようにしてもよい。
【０１０４】
続いて、制御部１１は、用紙搬送部１４と画像形成部１５を制御するとともに、外部装置接続部１６を介して巻出装置２と巻取装置３を制御して印刷処理を行う（ステップ５０７）。そして、印刷処理が終了すると、用紙残量検出部６４が用紙搬送部１４や画像形成部１５等からの信号に基づいて印刷に利用したロール紙の残用紙長を検出し（ステップ５０８）、検出した用紙残長に基づいて、用紙情報記憶部６５が、巻出装置２にセットされているロール紙の用紙識別名に対応する用紙残長を更新する（ステップ５０９）。
【０１０５】
制御部１１は、次のジョブが受け付けられている場合、例えば、ステップ１１１以降の処理を行っている間に、ジョブ受付部６１がジョブを受け付けていた場合には（ステップ５１０でＹＥＳ）、ステップ１１１に戻り、次のジョブに対して同様の処理を行う。次のジョブが受け付けられていない場合には、処理を終了する。
【０１０６】
一方、現に巻出装置２にセットされているロール紙を優先して利用するように設定されている場合には（図１６のステップ５０３でＮＯ）、次のジョブが受け付けられていなければ（ステップ５１８でＮＯ）、現行のジョブを優先して処理するように設定されている場合と同様の処理を行う。
【０１０７】
また、次の印刷ジョブが受け付けられている場合には（ステップ５１８でＹＥＳ）、ジョブ解析部６２が、印刷ジョブの解析を行い、当該印刷ジョブを実行する際の各ページの用紙長とページ数を特定する（ステップ５１９）。そして、特定された各ページの用紙長とページ数に基づいて、用紙長算出部６３が必要用紙長を算出する（ステップ５２０）。このとき、用紙長算出部６３は、印刷時や用紙の切断時に必要となる用紙のマージンも必要用紙長に含めるように必要用紙長の算出を行う。さらに次の印刷ジョブが受け付けられている場合には（ステップ５２１でＹＥＳ）、同様に、印刷ジョブの解析を行い、各ページの用紙長とページ数を特定する。
【０１０８】
そして、受け付けている全ての印刷ジョブの解析を終了すると（ステップ５２１でＮＯ）、用紙選択部６７は、表示・操作部１２に、現に巻出装置２にセットされているロール紙で実行可能な印刷ジョブの一覧を表示させる（ステップ５２２）。この表示は、例えば、図１８に示すようなものとなる。この表示を行う際には、現に巻出装置２にセットされているロール紙で実行可能な印刷ジョブのうち、必要用紙長の長い順に表示を行うようにすることもでき、ジョブの受け付け順に表示を行うようにすることもできる。
【０１０９】
なお、現に巻出装置２にセットされているロール紙で実行可能な印刷ジョブが１つだけの場合には、用紙選択部６７は、印刷ジョブの一覧表示を省略し、当該印刷ジョブを実行対象として選択する。
【０１１０】
表示した印刷ジョブの一覧から、利用者が実行を所望する印刷ジョブを選択すると（ステップ５２３でＹＥＳ）、制御部１１は、用紙搬送部１４と画像形成部１５を制御するとともに、外部装置接続部１６を介して巻出装置２と巻取装置３を制御して印刷処理を行う（図１７のステップ５０７）。そして、印刷処理が終了すると、用紙残量検出部６４が用紙搬送部１４や画像形成部１５等からの信号に基づいて印刷に利用したロール紙の残用紙長を検出し（ステップ５０８）、検出した用紙残長に基づいて、用紙情報記憶部６５が、巻出装置２にセットされているロール紙の用紙識別名に対応する用紙残長を更新する（ステップ５０９）。
【０１１１】
制御部１１は、次のジョブが受け付けられている場合には（ステップ５１０でＹＥＳ）、ステップ５０１に戻り、次のジョブに対して同様の処理を行う。次のジョブが受け付けられていない場合には、処理を終了する。
【符号の説明】
【０１１２】
１    画像形成装置
２    巻出装置
３    巻取装置
４    ロール紙
１１    制御部
１２    表示・操作部
１３    通信部
１４    用紙搬送部
１５    画像形成部
１６    外部装置接続部
５１    演算部
５２    記憶部
５３    一時記憶部
５４、５４−１〜５４−６    入出力部
６１    ジョブ受付部
６２    ジョブ解析部
６３    用紙長算出部
６４    用紙残量検出部
６５    用紙情報記憶部
６６    用紙適否判定部
６７    用紙選択部
【図１】
2010247518.tif 000003
【図２】
2010247518.tif 000004
【図３】
2010247518.tif 000005
【図４】
2010247518.tif 000006
【図５】
2010247518.tif 000007
【図６】
2010247518.tif 000008
【図７】
2010247518.tif 000009
【図８】
2010247518.tif 000010
【図９】
2010247518.tif 000011
【図１０】
2010247518.tif 000012
【図１１】
2010247518.tif 000013
【図１２】
2010247518.tif 000014
【図１３】
2010247518.tif 000015
【図１４】
2010247518.tif 000016
【図１５】
2010247518.tif 000017
【図１６】
2010247518.tif 000018
【図１７】
2010247518.tif 000019
【図１８】
2010247518.tif 000020